(57)【要約】【課題】  格付けを監督者が行うとタイマーでカウントされた後に格付けがクリアされた状態に移る映像音声表示装置を提供する。【解決手段】  放送番組を受信して映像音声信号を出力する受信手段と、音声信号を受けこれに応じて音響を発生するスピーカ部と、映像信号を受けこれに応じて映像を表示する表示部と、映像と音声をレイティング情報に基づきブロックする手段と、時間をカウントするタイマーと、前記受信手段で受信している放送番組のパレンタル制御による前記レイティング情報を読み取る手段と、タイマーによってパレンタル制御の動作を制御する制御部とを具備したことを特徴とする映像音声表示装置。【選択図】      図４
2007123951.tif 000002
【特許請求の範囲】
【請求項１】
放送番組を受信して映像音声信号を出力する受信手段と、
音声信号を受けこれに応じて音響を発生するスピーカ部と、
映像信号を受けこれに応じて映像を表示する表示部と、
映像と音声をレイティング情報に基づきブロックする手段と、
時間をカウントするタイマーと、
前記受信手段で受信している放送番組の前記レイティング情報を読み取る手段と、
タイマーによって前記レイティング情報に基づくパレンタル制御を解除する制御部とを
具備した映像音声表示装置。
【請求項２】
ビデオコンテンツを取り込み映像音声信号を出力する出力手段と、
音声信号を受けこれに応じて音響を発生するスピーカ部と、
映像信号を受けこれに応じて映像を表示する表示部と、
映像と音声をレイティング情報に基づきブロックする手段と、
時間をカウントするタイマーと、
前記出力手段で出力しているビデオコンテンツの前記レイティング情報を読み取る手段と、
タイマーによって前記レイティング情報に基づくパレンタル制御を解除する制御部とを
具備した映像音声表示装置。
【請求項３】
前記タイマーにカウントする時間を設定する設定手段を備えた請求項１または請求項２に記載の映像音声表示装置。
【請求項４】
前記制御部は前記タイマーのカウント終了を判定し終了と判定した場合にパレンタル制御を解除することを特徴とする請求項１または請求項２に記載の映像音声表示装置。
【発明の詳細な説明】
【技術分野】
【０００１】
本発明は、映像音声表示装置に係り、特にタイマー付き映像音声表示装置に関する。
【背景技術】
【０００２】
米国等では、パレンタル制御のひとつとしてＶ‐ＣＨＩＰ制御装置が用いられている。これはテレビジョンセット等において、監督者（親等）が放送番組やビデオコンテンツの内容のレイティング（格付け）情報を参考に被監督者（子供等）の視聴する番組や映像音声を制限するためのものである。Ｖ‐ＣＨＩＰは放送番組やビデオコンテンツに重畳されているレイティング情報を読み込み結果を出力する部品である。この結果と、予め装置に設定されているレイティングとを比較した結果に基づき、その番組や映像音声を制限するか否かの判定出力を行い、この判定出力に基づき番組や映像音声の出力を行い、あるいは行わないものがＶ‐ＣＨＩＰ制御装置である。
【０００３】
Ｖ‐ＣＨＩＰ制御装置には、タイマー付きのものもある。例えば特表２００３−５１９９７４号公報（特許文献１）によるものは、通常と異なる格付けを監督者が行うとタイマーでカウントされた後に元の格付けに戻るという方式である。但しこの特許文献１の方式においては、タイマーでカウントされた後に格付けがクリアされた状態に移ることは開示されていない。更に格付けをクリアすることも、通常と異なる格付けを行う枠組みにおいて一時的に行うものとなるという使い勝手における制約があるという問題があった。
【特許文献１】特表２００３−５１９９７４号公報
【発明の開示】
【発明が解決しようとする課題】
【０００４】
本発明は、格付けを監督者が行うとタイマーでカウントされた後に格付けがクリアされた状態に移る映像音声表示装置を提供することを目的とする。
【課題を解決するための手段】
【０００５】
上記課題を解決するために、本発明の映像音声表示装置は、放送番組を受信して映像音声信号を出力する受信手段と、音声信号を受けこれに応じて音響を発生するスピーカ部と、映像信号を受けこれに応じて映像を表示する表示部と、映像と音声をレイティング情報に基づきブロックする手段と、時間をカウントするタイマーと、前記受信手段で受信している放送番組の前記レイティング情報を読み取る手段と、タイマーによって前記レイティング情報に基づくパレンタル制御を解除する制御部とを具備したことを特徴とする。
【発明の効果】
【０００６】
本発明によれば、格付けを監督者が行うとタイマーでカウントされた後に格付けがクリアされた状態に移る映像音声表示装置が得られる。
【発明を実施するための最良の形態】
【０００７】
以下、本発明の実施例を説明する。
【実施例１】
【０００８】
本発明による映像音声表示装置の実施例１を図１乃至図５を参照して説明する。
図１は、実施例であるデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【０００９】
チューナ２４５ａは、制御部２６１からの制御信号により所望のチャンネルの放送信号を選局し、この選局された放送信号をＰＳＫ（Phase Shift Keying）復調器２４５ｂに出力する。
【００１０】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００１１】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データ（サービス情報），電子番組ガイド（ＥＰＧ）情報，番組属性情報（番組ジャンル等），字幕情報等を制御部２６１へ出力する。
【００１２】
また、地上波放送受信用のアンテナ２４８で受信した地上デジタルテレビジョン放送信号は、入力端子２４９を介して地上デジタル放送用のチューナ２５０ａに供給される。
【００１３】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００１４】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００１５】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データや電子番組ガイド（ＥＰＧ）情報，番組属性情報（番組ジャンル等）等を制御部２６１へ出力する。
【００１６】
また、上記地上波放送受信用のアンテナ２４８で受信した地上アナログテレビジョン放送信号は、入力端子２４９を介して地上アナログ放送用のチューナ２５２ａに供給されることにより、所望のチャンネルの放送信号が選局される。そして、このチューナ２５２ａで選局された放送信号は、アナログ復調器２５２ｂに供給されてアナログの映像信号及び音声信号に復調された後、上記信号処理部２４７に出力される。
【００１７】
ここで、上記信号処理部２４７は一般的な機能として、ＰＳＫ復調器２４５ｂ及びＯＦＤＭ復調器２５０ｂからそれぞれ供給されたデジタルの映像信号及び音声信号に対して、選択的に所定のデジタル信号処理を施し、グラフィック処理部２５４及び音声処理部２５５に出力している。
【００１８】
また、上記信号処理部２４７には、複数（図示の場合は４つ）の入力端子２５６ａ，２５６ｂ，２５６ｃ，２５６ｄが接続されている。これら入力端子２５６ａ〜２５６ｄは、それぞれ、アナログの映像信号及び音声信号を、デジタルテレビジョン放送受信装置１１１の外部から入力可能とするものである。
【００１９】
信号処理部２４７は、上記アナログ復調器２５３及び各入力端子２５６ａ〜２５６ｄからそれぞれ供給されたアナログの映像信号及び音声信号を選択的にデジタル化し、このデジタル化された映像信号及び音声信号に対して所定のデジタル信号処理を施した後、グラフィック処理部２５４及び音声処理部２５５に出力する。タイマー２４７ｂは信号処理部２４７に有る。
【００２０】
グラフィック処理部２５４は、信号処理部２４７から供給されるデジタルの映像信号に、ＯＳＤ（On Screen Display）信号生成部２５７で生成されるＯＳＤ信号を重畳して出力する機能を有する。このグラフィック処理部２５４は、信号処理部２４７の出力映像信号と、ＯＳＤ信号生成部２５７の出力ＯＳＤ信号とを選択的に出力すること、また、両出力をそれぞれ画面の半分を構成するように組み合わせて出力することができる。
【００２１】
また、字幕放送による字幕を表示するとき、グラフィック処理部２５４は、制御部２６１からの制御信号および字幕情報に基づき、映像信号上に字幕情報を重畳する処理を行う。
【００２２】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００２３】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００２４】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００２５】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００２６】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送を行なうことができる。
【００２７】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送を行なうことができる。
【００２８】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応の各機器と、通信Ｉ／Ｆ２６９を介して情報伝送を行なうことができる。
【００２９】
さらに、上記制御部２６１は、通信Ｉ／Ｆ２７０を介して第２のＬＡＮ端子１２２に接続されている。これにより、制御部２６１は、第２のＬＡＮ端子１２２に接続される各機器と、通信Ｉ／Ｆ２７０を介して情報伝送を行なうことができる。
【００３０】
また、上記制御部２６１は、ＵＳＢ  Ｉ／Ｆ２７１を介して前記ＵＳＢ端子１２３に接続されている。これにより、制御部２６１は、ＵＳＢ端子１２３に接続される各機器と、ＵＳＢ  Ｉ／Ｆ２７１を介して情報伝送を行なうことができる。
【００３１】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送を行なうことができる。
【００３２】
また、制御部２６１は、この発明に係わる機能として、ＵＰｎＰを利用した（１）サーバー機器発見機能２６１ｄと、（２）ＵＰｎＰを利用したコンテンツ情報取得機能２６１ｅと、（３）コンテンツアクセス制御機能２６１ｆとを備えている。
【００３３】
（１）制御部２６１は、サーバー機器発見機能２６１ｄにより、ＵＰｎＰのディスカバリ機能を用いてネットワーク上のＵＰｎＰ対応機器を発見する。
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。
【００３４】
（３）制御部２６１は、コンテンツアクセス制御機能２６１ｆにより、サーバー機器発見機能２６１ｄにより取得したサーバー機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。タイマー２４７ｂは制御部２６１に有ってもよい。
【００３５】
図２は、本発明の実施形態の設定画面の例である。ＴＶ  ＲＡＴＩＮＧとＹＯＵＴＨ  ＴＶ  ＲＡＴＩＮＧの２つのタイトル行がある。テレビ対象レイティングシステムの全内訳である２つ、一般対象レイティングと児童対象レイティングを例示している。
【００３６】
ＴＶ  ＲＡＴＩＮＧでは、ＭＡ、１４、ＰＧ、Ｇの各列はそれぞれ成人、14才以上、児童に不適、一般対象といったレベルの情報に対応している。また各行のカテゴリとの交点においては、Ｖが見ることができる、Ｘが見ることができないという状態に対応している。
【００３７】
最下行のＮＯ  ＤＬＳＶは、その上４行のカテゴリの情報が付加されずに、GやMA等のレベルの情報だけ来る場合が有り、それに対応する表現である。
ＹＯＵＴＨ  ＴＶ  ＲＡＴＩＮＧでは、Ｙ７ＦＶ、Ｙ７、Ｙの各列はそれぞれ7才以上対象でアニメーションなどの暴力画像あり、7才以上、児童に不適、全児童対象といったレベルの情報に対応している。こちらはＶＳＬＤのカテゴリ区分は無い。
【００３８】
これらのレイティング情報は本来数ビットのものであるが、ＶＢＩ（Vertical blank internal） にテレテキストと同様パケットとして数バイトの形式で受信され通常チューナにおいて解読されるものである。また、レイティング情報による制御を行うのは通常制御部であるが、信号処理部やチューナにその機能を持たせる構成もあり得る。
【００３９】
図３は、本発明の実施形態の時間の設定画面の表示例である。パレンタル制御解除時間設定を行う例であり、設定時間は１２時間３０分後と監督者がした例である。設定画面を表示するためには、前段に監督者に対する対話的なMENU表示を行ってもよい。
【００４０】
図４は、本発明の実施形態のタイマー減算の例の処理フローチャートである。図３のように設定した設定時間を減算していく。ステップＳ１では、設定時間に対応する装置内部の正のタイマーカウント値が制御部２６１の指示に基づき信号処理部２４７経由でタイマー２４７ｂにセットされる。ステップＳ２では、このタイマーカウント値が信号処理部２４７内部のクロックに従って減算される。ステップＳ３では、このタイマーカウント値が０になった場合はタイマーは停止し次のステップＳ４と進む。またタイマーカウント値がまだ０にならない場合はステップＳ２に戻る。ステップＳ４では、タイマー２４７ｂはタイマーカウント値が０になったことを信号処理部２４７に出力し、信号処理部２４７は、パレンタル制御の設定を解除して即ちグラフィック処理部２５４への映像信号出力及び音声処理部２５５への音声信号出力を復旧し、また制御部２６１へはタイマーカウント値が０になったことを出力し一連の処理の終了となる。タイマー２４７ｂは信号処理部２４７に有る。
【００４１】
図５は、パレンタル制御の設定を時間経過後に解除する場合の例である。図３で監督者が設定した設定時間の経過後に、図４の処理の終了により、制御部２６１はタイマーカウント値が０になったことを信号処理部２４７から受け、ブロック表示を消すことをＯＳＤ信号生成部２５７に行わせる。尚、このブロック表示（Ｖ‐ＣＨＩＰ  ＢＬＯＣＫＥＤ）は、監督者が図３の時間設定を行うと、制御部２６１がＯＳＤ信号生成部２５７に、グラフィック処理部２５４、映像処理部２５８経由で、映像表示器１１４へ行わせることにより、開始されるものである。
【００４２】
効果を説明する。一般に映像音声表示装置では、パレンタル制御の設定はパスワードを入力して行う。再度パレンタル制御の設定を解除するためには再度パスワードを入力しないといけない。子供を残しての外出時に設定したとして、帰宅時にはパスワードを入力して解除する必要がある。子供にパスワードを破られないように設定すると忘れてしまうこともありうる。
【００４３】
実施例のように必要な時間分だけパレンタル制御の設定を行い、パレンタル制御を働かせると、設定した時間が来ればパレンタル制御の設定はクリアされ、通常パレンタル制御の解除のために使用するパスワードを忘れても問題無いし、いちいち解除するためにパスワードを入力する煩わしい操作をしなくよい。
【実施例２】
【００４４】
本発明による映像音声表示装置の実施例２を図１及び図３乃至図５を参照して説明する。実施例１と共通する部分は省略する。
ＬＡＮ端子１２２に接続される各機器には、映画のビデオ映像を供給するＤＶＤプレーヤ等もあり、対応する映画対象レイティングシステムの設定の枠組みは以下である。
【００４５】
G (General Audiences, 一般対象)、PG (Parental Guidance Suggested, 児童に不適当な箇所あり保護者の判断を要する)、PG-13 (Parents Strongly Cautionaed, 13歳以下の児童に不適当な箇所あり保護者の判断を要する)、R (Restricted, 17歳以下の青少年は、保護者の同行が必要)、NC-17 (No one 17 and under admitted, 17歳以下、禁止（いわゆる「X-Rated」）)のレベルの情報がある。テレビ番組レイティングシステムのようなカテゴリ区分は無い。
【００４６】
以上の実施例は、映像音声（放送番組映像やビデオ映像）を視聴できる装置に用いられ、パレンタル制御のレイティング情報を検出できる検出装置を有する製品に関する。ユーザーはパレンタル制御の設定したい時間をMENU等を用いてセットする。制御部により時間をカウントし、設定した時間が来ると、パレンタル制御の設定が無効になる。ユーザーは再度パスワードを入力してパレンタル制御の設定を無効する作業をしなくてよい。またパスワードを忘れても心配無い。
【図面の簡単な説明】
【００４７】
【図１】本発明を適用したデジタルテレビジョン放送受信装置１１１の主要な信号処理系を示す図。
【図２】映像音声表示装置の実施例１のパレンタル制御の設定画面の例。
【図３】映像音声表示装置の実施例１の時間の設定画面の表示例。
【図４】映像音声表示装置の実施例１のタイマー減算の例の処理フローチャート。
【図５】映像音声表示装置の実施例１の時間経過後に解除する場合の例。
【符号の説明】
【００４８】
１１１…デジタルテレビジョン放送受信装置
１２２…LAN端子
２４７…信号処理部
【図１】
2007123951.tif 000003
【図２】
2007123951.tif 000004
【図３】
2007123951.tif 000005
【図４】
2007123951.tif 000006
【図５】
2007123951.tif 000007